【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
移植片送達のためのシステムであって、
少なくとも１つの電解浸食性部材を有する移植片送達ガイドであって、該移植片送達ガイドは、電解流体内に移植片を放出するように適合されている、移植片送達ガイドと、
該送達ガイドの該浸食性部材に接続可能な電力供給であって、該電力供給は、少なくとも約５Ｖの最大振幅構成を伴うＡＣ電圧成分と、少なくとも約１ＶのＤＣ電圧信号とを有し、該ＤＣ成分は、少なくとも約０．１秒間にわたって、ゼロから最大値まで増加する、電力供給と
を備えている、システム。
【請求項２】
前記電力供給は、少なくとも約０．５秒間にわたって、ゼロから最大値まで増加する、請求項１に記載のシステム。
【請求項３】
前記電力供給は、少なくとも約１秒間にわたって、ゼロから最大値まで増加する、請求項１に記載のシステム。
【請求項４】
前記電力供給は、電解浸食の間に一定の電流を送達するように、前記ＤＣ電圧が変化する、請求項１〜３のいずれか1項に記載のシステム。
【請求項５】
前記ＤＣ電圧は、約１Ｖと約９．５Ｖとの間で変化する、請求項４に記載のシステム。
【請求項６】
前記電力供給の前記ＡＣ電圧成分は、２０Ｖ以下の最大振幅構成を有する、請求項１〜５のいずれか１項に記載のシステム。
【請求項７】
前記電力供給の前記ＡＣ電圧成分は、１５Ｖ以下の最大振幅構成を有する、請求項６に記載のシステム。
【請求項８】
前記電力供給の前記ＡＣ成分は、実質的に方形波のプロファイルを有する、請求項１〜７のいずれか１項に記載のシステム。
【請求項９】
前記電力供給によって送達された前記電力は負の電圧信号を含む、請求項１〜８のいずれか１項に記載のシステム。
【請求項１０】
前記電力供給によって送達された前記電力は、常に、負の電圧信号を含む、請求項９に記載のシステム。
【請求項１１】
前記電力供給によって、ＡＣ電圧成分を有する各電解浸食部材に送達された前記電力も、少なくとも約５Ｖの最大振幅構成と、少なくとも約１ＶのＤＣ電圧信号とを有する、請求項１〜１０のいずれか１項に記載のシステム。
【請求項１２】
前記送達ガイドは、
近位端部と、遠位端部と、該近位端部と該遠位端部との間に延在する構造とを備えるステントであって、該ステントは、該ステントの近位端部および遠位端部において、近位嵌合部および遠位嵌合部をさらに備える、ステントと、
該送達ガイドの遠位部分における近い座部および遠い座部であって、一方の嵌合部は、一方の座部内に受容され、もう一方の嵌合部は、もう一方の座部内に受容され、座部のうちの１つは回転可能である、近い座部および遠い座部と、
該ステントの部分を圧縮された状態で保持するための近位抑止部および遠位抑止部であって、該抑止部の１つは、電解浸食部分を有する螺旋巻き部を含み、該巻き部は、該座部およびその中に受容される嵌合部のうちの１つを少なくとも部分的に被覆する、近位抑止部および遠位抑止部と
を備えている、請求項１〜１１のいずれか１項に記載のシステム。
【請求項１３】
前記ステントは、ねじられた状態にあり、閉鎖セル構造を有する、請求項１２に記載のシステム。
【請求項１４】
前記送達ガイドは前記座部のうちの１つの周囲に位置付けられたスリーブをさらに含み、前記巻き部は、該スリーブ上の該座部に固定される、請求項１３に記載のシステム。
【手続補正２】
【補正対象書類名】明細書
【補正対象項目名】００５２
【補正方法】変更
【補正の内容】
【００５２】
記載される種々の特徴のうち、本明細書の送達システムは、種々の用途における潤滑性のための被膜および／または薬物送達の有無にかかわらず、その構造および移植片送達能力において、いくつかの利点を提供する。他のシステム、方法、特徴、および利点は、以下の図および発明を実施するための形態を検討することによって、当業者には明らかであって、またはそのようになるであろう。そのような追加システム、方法、特徴、および利点はすべて、本説明内に含まれ、本明細書に記載されるデバイス、システム、および方法の範囲内であって、付随の請求項によって保護されることが意図される。
例えば、本発明は以下の項目を提供する。
（項目１）
細長い送達ガイドを含むステント送達システムであって、
近い端部と、遠い端部と、その間に延在する構造とを備えるステントであって、該ステントの近い端部および遠い端部に近い嵌合部および遠い嵌合部をさらに備える、ステントと、
該送達ガイドの遠部における近い座部および遠い座部であって、嵌合部は、各座部内に受容される、座部と、
電解浸食性部分を含む少なくとも１つの螺旋巻き部であって、該座部およびその中に受容される該嵌合部のうちの少なくとも１つを少なくとも部分的に被覆する巻き部と、
該巻き部と該嵌合部との間に介在する絶縁ポリマースリーブと
を備える、システム。
（項目２）
上記ステントは、ねじられた構成にある、項目１に記載のシステム。
（項目３）
１つの座部のみ、螺旋巻き部に被覆され、少なくとも１つの座部は、電解浸食性部材の解放に応じて回転可能である、項目１に記載のシステム。
（項目４）
上記スリーブは、約０．００１インチ以下の厚さを有する、項目１に記載のシステム。
（項目５）
上記スリーブは、上記嵌合部間の複数の線に沿って細長く裂かれている、項目１に記載のシステム。
（項目６）
細長い送達ガイドを含むステント送達システムであって、
近い端部と、遠い端部と、その間に延在する構造とを備えるステントであって、該ステントの近い端部および遠い端部に近い嵌合部および遠い嵌合部をさらに備える、ステントと、
該送達ガイドの遠部における近い座部および遠い座部であって、一方の嵌合部は、１つの座部内に受容され、他方の嵌合部は、他方の座部内に受容され、該座部のうちの１つは、回転可能である、座部と、
圧縮状態にある該ステントの一部を保持するための近い抑止部および遠い抑止部であって、そのうちの１つは、電解浸食性部分を有する螺旋巻き部を含み、該巻き部は、該座部およびその中に受容される嵌合部のうちの１つを少なくとも部分的に被覆する、抑止部と
を備える、システム。
（項目７）
上記ステントは、ねじられた状態にある、項目６に記載のシステム。
（項目８）
上記ステントは、閉鎖セル構造を有する、項目７に記載のシステム。
（項目９）
上記座部のうちの１つの周囲に位置付けられたスリーブをさらに含み、上記巻き部は、該スリーブ上の該座部に固着される、項目６に記載のシステム。
（項目１０）
ステント送達システムを装填する方法であって、
第１および第２の端部を有するステントの該第１の端部を送達ガイドに固定される第１の座部に固着するステップであって、該第１の端部は、巻き部材によって、該第１の座部に固着される、ステップと、
該ステントの第２の端部を該送達ガイドに固定される第２の座部に固着するステップと、
該ステントの該第２の端部が、抑止部によって第２の座部に固着されたままで、該ステントをねじられた構成にねじる、ステップと、
該第２の座部を該送達ガイドに固定するステップと
を包含する、方法。
（項目１１）
上記ステントのねじり後、上記第２の抑止部は、上記送達ガイドに固定される、項目１０に記載の方法。
（項目１２）
移植片送達方法であって、
移植片送達システムを電解流体内に導入するステップと、
電力を少なくとも１つの電解浸食性部材を有する送達ガイドに印加するステップであって、該電力は、少なくとも約５Ｖの最大振幅構成を伴うＡＣ電圧成分と、少なくとも約１ＶのＤＣ電圧信号とを有し、該ＤＣ成分は、少なくとも約０．１秒間にわたって、ゼロから最大値まで増加する、ステップと
を包含する、方法。
（項目１３）
上記ＤＣ成分は、少なくとも約０．５秒間にわたって、ゼロから最大値まで増加する、項目１２に記載の方法。
（項目１４）
上記ＤＣ成分は、少なくとも約１秒間にわたって、ゼロから最大値まで増加する、項目１２に記載の方法。
（項目１５）
上記ＤＣ電圧は、電解浸食の間、一定電流を送達するように変動する、項目１２に記載の方法。
（項目１６）
上記ＤＣ電圧は、約１Ｖ乃至９．５Ｖの間で変動する、項目１５に記載の方法。
（項目１７）
上記ＡＣ電圧成分は、２０Ｖ以下の最大振幅構成を有する、項目１２に記載の方法。
（項目１８）
上記ＡＣ電圧成分は、１５Ｖ以下の最大振幅構成を有する、項目１２に記載の方法。
（項目１９）
上記ＡＣ成分は、実質的方形波プロファイルを有する、項目１２に記載の方法。
（項目２０）
上記印加電力は、負の電圧信号を含む、項目１２に記載の方法。
（項目２１）
上記印加電力は、常に、負の電圧信号を含む、項目２０に記載の方法。
（項目２２）
ＡＣ電圧成分を有する各電気浸食性部材に送達される上記電力は、少なくとも約５Ｖの最大振幅構成と、少なくとも約１ＶのＤＣ電圧信号とを有する、項目１２に記載の方法。
（項目２３）
移植片送達ガイド本体であって、
細長い本体を備え、該本体は、近位金属管と、遠位金属管と、心線と、超弾性螺旋巻き部とを備え、
該心線は、該近位管と該遠位管とを接続し、
該巻き部は、該近位管と該遠位管との間の少なくとも１つの接点に覆い重なる、
送達ガイド本体。
（項目２４）
上記巻き部は、ＮｉＴｉ材料を備える、項目２３に記載の送達ガイド本体。
（項目２５）
上記被覆される接点は、結合部を備える、項目２３に記載の送達ガイド本体。
（項目２６）
上記結合部は、導電性材料を備える、項目２５に記載の送達ガイド本体。
（項目２７）
上記巻き部は、２つの端部ではんだ付けされる、項目２３に記載の送達ガイド本体。
（項目２８）
上記巻き部は、リボンを備える、項目２３に記載の送達ガイド本体。
（項目２９）
上記巻き部は、丸線を備える、項目２３に記載の送達ガイド本体。
（項目３０）
上記送達ガイドは、上記巻き部の外径が、実質的に均一である、項目２３に記載の送達ガイド本体。
（項目３１）
上記外径は、約０．０１２乃至約０．０１４インチの範囲である、項目３０に記載の送達ガイド本体。
（項目３２）
ステント送達システムであって、
近位金属管と、遠位金属管と、心線と、超弾性螺旋巻き部とを備える移植片送達ガイド本体であって、該心線は、該近位管と該遠位管とを接続し、該巻き部は、該近位管と該遠位管との間の少なくとも１つの接点に覆い重なる、ガイド本体と、
該ガイド本体の遠位端部に隣接して解放可能に搭載されるステントと
を備える、システム。
（項目３３）
ステント送達システムであって、
細長い送達ガイド本体と、該送達ガイド本体に解放可能に固着されたステントであって、送達のために、マンドレル上にねじられた圧縮プロファイルで保持される、ステントと、
該ステントと該マンドレルとの間に介在する複数の中空円筒形部材と
を備え、該中空部材は、少なくとも該ステントをその送達プロファイルに保持する前に、該マンドレルの周囲を回転可能である、システム。
（項目３４）
上記マンドレルは、金属管類から形成される、項目３３に記載のステント送達システム。
（項目３５）
上記円筒形要素は、約０．０００５乃至約０．００１５インチの壁厚を有する、項目３４に記載のステント送達システム。
（項目３６）
上記ステントの実質的に支持領域全体は、上記円筒形部材に接触する、項目３３に記載のステント送達システム。
（項目３７）
上記ステントは、端部突起を含み、上記円筒形部材は、該端部突起と接触しない、項目３６に記載のシステム。
（項目３８）
上記複数の中空円筒形部材は、少なくとも３つの部材を備える、項目３３に記載のシステム。
（項目３９）
ステント送達システムを装填する方法であって、
マンドレル上のステントの少なくとも１つを該マンドレル上の複数のローラ上で回転させ、該ステントが徐々に圧縮直径をとるように、徐々に該ローラをスピンさせる、ステップと、
該ステントを該送達システムに固着するステップと
を包含する、方法。
（項目４０）
上記ステントは、非コイル型ステントである、項目３９に記載の方法。
（項目４１）
上記ステントの第１の端部が、最初に、上記送達システムに固着され、第２の端部が、回転され、次いで、該送達システムに固着される、項目３９に記載の方法。
（項目４２）
閉鎖セル格子構造と、弛緩状態にある時の長手方向軸と、遠位端部および近位端部とを有する本体部と、
該遠位端部から延在する複数の遠位突起と、該近位端部から延在する複数の近位突起とであって、該遠位突起および該近位突起は、該長手方向軸と実質的に平行方向に延在し、該近位突起は、該遠位突起よりも長い、遠位突起および近位突起と
を備える、自己拡張型ステント。
（項目４３）
上記近位突起は、上記遠位突起よりも少なくとも２倍長い、項目４２に記載の自己拡張型ステント。
（項目４４）
ステント送達ガイドであって、
近位端部および遠位端部を有する第１の長さの部分と、近位端部および遠位端部を有する第２の長さの部分とを有する送達ガイドと、
近位端部および遠位端部を有する自己拡張型ステントと、
近位端部および遠位端部を有するコイルと
を備え、該第１の長さの部分の遠位端部は、該第２の長さの部分の近位端部に連結され、該第２の長さの部分の遠位端部は、該ステントの該近位端部に連結され、該ステントの該遠位端部は、該コイルの該近位端部に連結され、該コイルは、該送達ガイドの遠位先端を形成し、該第１の長さの部分は、該第２の長さの部分よりも柔軟性に劣る、
ステント送達ガイド。
（項目４５）
上記ステントは、ねじられた状態にあって、閉鎖セル構造を有する、項目４４に記載のステント送達ガイド。
（項目４６）
上記抑止部は、コイルを備える、項目１０に記載の方法。